(57)【要約】【課題】所定要素についての使用者による設定項目の選択操作を容易にしたリモコン装置を提供する。【解決手段】リモコン装置１は、被制御装置１００との間で通信を行う通信部２２と、表示部３０と、使用者により操作される操作部５０と、被制御装置１００又はリモコン装置１に関する所定要素の設定状態を表示部３０に表示すると共に、操作部５０の操作に応じて該所定要素の設定を変更する要素設定変更処理を実行する要素設定変更部１３と、所定の選択範囲指定要求に応じて、予め設定された候補項目の中から、前記所定要素の設定として選択可能な対象項目を決定する対象項目決定処理を実行する選択対象決定部１４とを備える。【選択図】図３
2019009535.tif 000002
【特許請求の範囲】
【請求項１】
被制御装置を遠隔操作するリモコン装置であって、
使用者により操作される操作部と、
前記被制御装置又は前記リモコン装置に関する所定要素を、前記操作部の操作に応じて変更する要素設定変更処理を実行する要素設定変更部と、
所定の選択範囲指定要求に応じて、予め設定された複数の候補項目の中から、前記要素設定変更処理において前記所定要素として選択可能な選択対象項目を決定する選択対象決定処理を実行する選択対象決定部と
を備えていることを特徴とするリモコン装置。
【請求項２】
表示部を備え、
前記選択範囲指定要求は、前記操作部による、前記表示部に表示された前記候補項目の中からの前記選択対象項目の指定操作であることを特徴とする請求項１記載のリモコン装置。
【請求項３】
外部装置との間で通信を行う通信部を備え、
前記選択範囲指定要求は、前記通信部による、前記外部装置から送信された前記選択対象項目を指定する選択対象項目指定データの受信であることを特徴とする請求項１又は請求項２に記載のリモコン装置。
【請求項４】
前記所定要素は、前記リモコン装置における使用言語であり、
前記要素設定変更部は、前記要素設定変更処理として、前記操作部の操作に応じて前記使用言語を変更する処理を実行し、
前記選択対象決定部は、前記選択対象決定処理として、前記候補項目として設定された複数の言語の中から、前記要素設定変更処理において前記使用言語として選択可能な言語を前記選択対象項目として決定する
ことを特徴とする請求項１から請求項３のうちいずれか１項に記載のリモコン装置。
【請求項５】
前記操作部は、前記要素設定変更処理において前記使用言語を変更するための言語切替スイッチを、専用に備えていることを特徴とする請求項４に記載のリモコン装置。
【請求項６】
前記選択対象決定部は、前記言語切替スイッチが所定時間以上継続して操作された場合に、前記選択対象決定部による前記選択対象決定処理の実行が不能な選択対象固定モードから、前記選択対象決定部による前記選択対象決定処理の実行が可能な選択対象可変モードに切り替えることを特徴とする請求項５記載のリモコン装置。
【請求項７】
所定の使用言語リセット要求に応じて、前記使用言語を所定言語とする使用言語リセット処理を実行する使用言語設定リセット部を備えていることを特徴とする請求項４から請求項６のうちいずれか１項に記載のリモコン装置。
【請求項８】
前記所定要素は、前記被制御装置又は前記リモコン装置の複数の作動条件のうち、設定変更の対象として選択されている変更対象作動条件であり、
前記要素設定変更部は、前記要素設定変更処理として、前記操作部の操作に応じて、前記変更対象作動条件を変更する処理を実行し、
前記選択対象決定部は、前記候補項目として設定された複数の作動条件の中から、前記変更対象作動条件として選択可能な作動条件を、前記選択対象項目として決定する
ことを特徴とする請求項１から請求項７のうちいずれか１項に記載のリモコン装置。
【請求項９】
所定の作動条件リセット要求に応じて、前記作動条件に関する設定を所定設定とする作動条件リセット処理を実行する作動条件リセット部を備えていることを特徴とする請求項８に記載のリモコン装置。
【発明の詳細な説明】
【技術分野】
【０００１】
本発明は、リモコン装置に関する。
【背景技術】
【０００２】
従来、被制御装置（空調装置、給湯装置等）を遠隔操作するリモコン装置においては、被制御装置又はリモコン装置に関する所定要素（被制御装置の運転条件、リモコン装置における使用言語、リモコン装置の操作条件等）について、予め設定された複数の項目の中から、使用者が選択できるようになっている（例えば、特許文献１参照）。
特許文献１に記載されたリモコン装置は、空気調和装置のリモコン装置であり、二つのスイッチ（「ＭＯＤＥ」スイッチと「ＦＡＮ  ＳＰＥＥＤ」スイッチ）の同時押下げにより言語選択処理に入り、「ＤＩＲＥＣＴＩＯＮ」スイッチ１５を押下げする度に、日本語、英語、スペイン語、フランス語、イタリア語を順次選択できるようになっている。
【先行技術文献】
【特許文献】
【０００３】
【特許文献１】特開２００６−４６６８６号公報
【発明の概要】
【発明が解決しようとする課題】
【０００４】
上述した特許文献１に記載されたリモコン装置では、日本語、英語、スペイン語、フランス語、イタリア語という５種類の言語の中から、一つの言語を選択するが、使用者が常用する言語が、中国語、韓国語等の他の言語である場合もあり、リモコン装置が使用される地域の拡大や使用者の国籍の多様化に伴って、要望される言語の種類が増加すると想定される。また、使用言語以外にも、被制御機器の多様化及び高機能化に伴って、運転条件等の他の要素についても、選択可能な項目が増加すると想定される。
そして、このように、要素の設定の選択範囲が拡大すると、多数の項目の中から使用者が希望する項目を選択する操作が必要になるが、設置スペースの制約から、リモコン装置の表示部のサイズと配置されるスイッチの個数は制限される。そのため、多数の項目からの選択操作に対して、使用者が煩わしさを感じ易くなる。
本発明はかかる背景に鑑みてなされたものであり、所定要素についての使用者による設定項目の選択操作を容易にしたリモコン装置を提供することを目的とする。
【課題を解決するための手段】
【０００５】
前記従来の課題を解決するために、本発明のリモコン装置は、被制御装置を遠隔操作するリモコン装置であって、使用者により操作される操作部と、前記被制御装置又は前記リモコン装置に関する所定要素を、前記操作部の操作に応じて変更する要素設定変更処理を実行する要素設定変更部と、所定の選択範囲指定要求に応じて、予め設定された複数の候補項目の中から、前記要素設定変更処理において前記所定要素として選択可能な選択対象項目を決定する選択対象決定処理を実行する選択対象決定部とを備えているとしたものである。
【０００６】
これによって、選択対象決定部は、選択範囲指定要求に応じて、予め設定された候補項目の中から、所定要素として選択可能な対象項目を決定する。そして、要素設定変更部は、選択対象決定部により決定された選択対象項目の中から所定要素を選択する。この場合、使用者の特性や好みに合わせて、所定要素として選択可能な対象項目の範囲を限定することができる。そのため、使用者は、予め絞り込まれた対象項目の中から、所定要素を容易に設定することができる。
【発明の効果】
【０００７】
本発明リモコン装置は、使用者により選択可能な所定要素の範囲を、種々の要求に応じて任意に設定することができるので、使用者による所定要素の設定操作を容易にすることができる。
【図面の簡単な説明】
【０００８】
【図１】リモコン装置が用いられた空調システムの説明図。
【図２】リモコン装置の外観説明図。
【図３】リモコン装置の制御ブロック図。
【図４】表示言語に関するデータの説明図。
【図５】運転条件に関するデータの説明図。
【図６】言語リスト構成処理のフローチャート。
【図７】言語切替処理のフローチャート。
【図８】表示言語の切替え態様の説明図。
【図９】対象言語決定処理のフローチャート。
【図１０】言語の対象決定画面の説明図。
【図１１】運転条件の対象決定画面の説明図。
【発明を実施するための形態】
【０００９】
第１の発明は、被制御装置を遠隔操作するリモコン装置であって、使用者により操作される操作部と、前記被制御装置又は前記リモコン装置に関する所定要素を、前記操作部の操作に応じて変更する要素設定変更処理を実行する要素設定変更部と、所定の選択範囲指定要求に応じて、予め設定された複数の候補項目の中から、前記要素設定変更処理において前記所定要素として選択可能な選択対象項目を決定する選択対象決定処理を実行する選択対象決定部とを備えている。
【００１０】
第１の発明によれば、選択対象決定部により、所定の選択範囲指定要求に応じて、候補項目の中から、所定要素として選択可能な選択対象項目を決定する選択対象決定処理が実行される。これにより、要素設定変更部による所定要素の設定範囲を限定することができるため、使用者による所定要素の設定を容易にすることができる。
【００１１】
第２の発明は、特に、第１の発明において、表示部を備え、前記選択範囲指定要求は、前記操作部による、前記表示部に表示された前記候補項目の中からの前記選択対象項目の指定操作であるとする。第２の発明によれば、操作スイッチの操作によって、所定要素の設定範囲を限定することができる。
【００１２】
第３の発明は、特に、第１の発明又は第２の発明において、外部装置との間で通信を行う通信部を備え、前記選択範囲指定要求は、前記通信部による、前記外部装置から送信された前記選択対象項目を指定する選択対象項目指定データの受信であるとする。第３の発明によれば、外部装置から送信される対象項目指定データを受信することにより、所定要素の設定範囲を限定することができる。
【００１３】
第４の発明は、特に、第１〜第３のいずれか１つの発明の前記所定要素は、前記リモコン装置における使用言語であり、前記要素設定変更部は、前記要素設定変更処理として、前記操作部の操作に応じて前記使用言語を変更する処理を実行し、前記選択対象決定部は、前記選択対象決定処理として、前記候補項目として設定された複数の言語の中から、前記要素設定変更処理において前記使用言語として選択可能な言語を前記選択対象項目として決定する。
第４の発明によれば、リモコン装置における使用言語として選択可能な言語を、候補項目として設定された複数の言語の中から決定することができる。そのため、リモコン装置を利用する使用者の常用言語がある程度想定できる場合に、想定に基づいて選択対象項目とする言語を決定することにより、使用者による言語の選択を容易にすることができる。
【００１４】
第５の発明は、特に、第４の発明において、前記操作スイッチとして、前記要素設定変更処理において、前記使用言語の設定を変更するための言語切替スイッチを専用に備える。
第５の発明によれば、使用者は、専用に設けられた言語切替スイッチの操作という極めて分かり易く、且つ簡易な方法により、希望する言語を設定することができる。
【００１５】
第６の発明は、特に、第５の発明において、前記選択対象決定部は、前記言語切替スイッチが所定時間以上継続して操作された場合に、前記選択対象決定部による前記選択対象決定処理の実行が不能な選択対象固定モードから、前記選択対象決定部による前記選択対象決定処理の実行が可能な選択対象可変モードに切り替える。
第６の発明によれば、使用者は、専用に設けられた言語切替スイッチを所定時間以上継続して操作するという、極めて簡易な方法により、選択対象固定モードから選択対象可変モードに切り替えて、選択可能な言語の範囲を変更することができる。
【００１６】
第７の発明は、特に、第４〜６のいずれかの発明において、所定の使用言語リセット要求に応じて、前記使用言語を所定言語とする使用言語リセット処理を実行する使用言語設定リセット部を備えている。
第７の発明によれば、使用者によりランダムに変更された使用言語を、所定言語に容易に戻すことができる。
【００１７】
第８の発明は、特に、第１〜第７のいずれかの発明において、前記所定要素は、前記被制御装置又は前記リモコン装置の複数の作動条件のうち、設定変更の対象として選択されている変更対象作動条件であり、前記要素設定変更部は、前記要素設定変更処理として、前記操作部の操作に応じて、前記変更対象作動条件を変更する処理を実行し、前記選択対象決定部は、前記候補項目として設定された複数の作動条件の中から、前記変更対象作動条件として選択可能な作動条件を、前記選択対象項目として決定する。
第７の発明によれば、作動条件として選択可能な選択対象項目を、候補項目として設定された複数の作動条件の中から決定することができる。そのため、リモコン装置を利用する使用者の利用形態に適合させて、或いは使用者の利用形態を制限するように、変更可能な作動条件の範囲を決定することができる。
【００１８】
第９の発明は、特に、第８の発明において、所定の作動条件リセット要求に応じて、前記作動条件に関する設定を所定設定とする作動条件リセット処理を実行する作動条件リセット部を備えている。
第９の発明によれば、使用者によりランダムに変更された作動条件に関する設定を、所定設定に容易に戻すことができる。
【００１９】
以下、本発明の実施の形態について、図面を参照しながら説明する。なお、本実施の形態によって本発明が限定されるものではない。
【００２０】
［１．空調システムの構成］
図１は、本発明の第１の実施形態におけるリモコン装置が用いられた空調システムの構成を示している。図１に示した空調システムは、複数台の空調装置１００（１００ａ，１００ｂ，…，１００ｎ）、各空調装置１００に接続されたリモコン装置１（１ａ，１ｂ，…，１ｎ）、各空調装置１００と通信可能に接続された集中制御機器１１０、及び各空調装置１００と接続されたゲートウェイ１２０を備えている。
【００２１】
各リモコン装置１は、接続された各空調装置１００（本発明の被制御装置に相当する）を遠隔操作するためのものである。例えば、空調装置１００ａの使用者Ｐは、空調装置１００ａの運転開始及び停止、設定温度の変更等を、リモコン装置１ａの表示部３０を視認しながらスイッチ部５０を操作して行うことができる。
【００２２】
集中制御機器１１０は、各空調装置１００との間で通信を行うことによって、各空調装置１００の運転状況をモニタリングすると共に、各空調装置１００の作動条件の変更等を行う。また、集中制御機器１１０は、各空調装置１００を経由して各リモコン装置１との間の通信も行い、各リモコン装置１の作動条件の変更等を行う。
【００２３】
ゲートウェイ１２０は、通信ネットワーク１２１を介して管理サーバー１２２と各空調装置１００との間の通信を中継する。管理サーバー１２２は、集中制御機器１１０と同様に、各空調装置１００との間で通信を行うことによって、各空調装置１００の運転状況をモニタリングすると共に、各空調装置１００の作動条件の変更等を行う。また、管理サーバー１２２は、各空調装置１００を介して各リモコン装置１との間の通信も行い、各リモコン装置１の作動条件の変更等を行う。
【００２４】
［２．リモコン装置の構成］
次に、図２，３を参照して、リモコン装置１（１ａ〜１ｎ）の構成について説明する。リモコン装置１ａ〜１ｎの構成は同様であるので、以下では、リモコン装置１と表記して構成を説明する。また、空調装置１００ａ〜１００ｎの構成も同様であるので、以下では、リモコン装置１による遠隔操作の対象を空調装置１００と表記して構成を説明する。
【００２５】
図２はリモコン装置１の外観図であり、リモコン装置１は、表示部３０及び操作部５０を表面に備え、筐体内にスピーカー２１及び回路基板２を備えている。表示部３０には、空調装置１００の運転条件、作動条件の設定状況等が表示される。
【００２６】
図２では、表示部３０に、空調の設定温度３１が表示され、また、変更可能な作動条件として、タイマー設定（タイマーＯＮ時間、タイマーＯＦＦ時間）３２、空調モード（冷暖自動、暖房、ドライ、冷房、送風等）３３、設定温度３４、送風量３５、及び風向３６が表示された状態が例示されている。
【００２７】
操作部５０は、リモコン装置１及び空調装置１００の各種設定の変更等に使用される左矢印キー５１、上矢印キー５２、右矢印キー５３、及び下矢印キー５５と、表示部３０における使用言語の切替えに使用される言語切替キー５４と、空調装置１００の運転と停止の指示等に使用される運転キー５６とを備えている。なお、図２の状態で、使用者Ｐが左矢印キー５１又は右矢印キー５３を押圧操作することにより、表示部３０に表示される作動条件が左右にスクロールして切り替わる。また、言語切替キー５４は、本発明の言語切替スイッチに相当する。
【００２８】
図３は、リモコン装置１の制御ブロック図であり、回路基板２には、リモコン装置１の作動を制御する制御ユニット１０と各種データを記憶する記憶部４０とが実装されている。制御ユニット１０は、図示しないＣＰＵ（Central Processing Unit）、メモリ、各種インターフェース回路等により構成されている。
【００２９】
ＣＰＵは、メモリに保持されたリモコン装置１の制御用プログラムを実行することによって、リモコン装置１の作動を制御し、操作受付部１１、外部要求受付部１２、要素設定変更部１３、選択対象決定部１４、及び設定リセット部１５として機能する。操作受付部１１、外部要求受付部１２、要素設定変更部１３、選択対象決定部１４、及び設定リセット部１５の機能の詳細については後述する。
【００３０】
制御ユニット１０は、表示部３０、スピーカー２１、通信部２２、記憶部４０、及び操作部５０と接続されている。制御ユニット１０から出力される制御信号により、表示部３０の画面表示、及びスピーカー２１からの出力音が制御される。また、操作部５０の各キー５１〜５６の操作信号が制御ユニット１０に入力される。各キー５１〜５６の操作信号は操作受付部１１により受け付けられ、操作受付部１１は、操作信号に基づいて、使用者により操作されているキーを認識する。
【００３１】
制御ユニット１０は、通信部２２を介して、集中制御機器１１０及び管理サーバー１２２との間で通信を行う。また、制御ユニット１０は、記憶部４０へのデータの書込みと記憶部４０からのデータの読出しを行う。
【００３２】
記憶部４０には、表示部３０における使用言語として選択可能な言語（選択対象言語）を示す選択対象言語データ４２、及び選択対象言語として登録可能な言語（候補言語）を示す候補言語データ４１が保持されている。また、記憶部４０には、空調装置１００又はリモコンの作動条件として選択可能な項目（選択対象作動条件）を示す選択対象作動条件データ４４、及び選択対象作動条件として指定可能な作動条件（候補作動条件）を示す候補作動条件データ４３が保持されている。
【００３３】
さらに、記憶部４０には、表示部３０における使用言語及び空調装置１００又はリモコン装置１の作動条件の初期設定（デフォルト設定）を示す初期設定データ４５、及び現時点における使用言語及び作動条件の設定状況を示す現状設定データ４６が保持されている。
【００３４】
ここで、図４は、候補言語データ４１、選択対象言語データ４２、初期設定データ４５、及び現状設定データ４６の設定例を示した説明図である。図４の例では、候補言語データ４１に、日本語、日英併記、英語、フランス語、ドイツ語、イタリア語、スペイン語、ポーランド語、ロシア語、及び中国語という１０種類の言語が候補言語として登録されている。そして、選択対象言語データには、これらの１０種類の候補言語の中から、日英併記、中国語、及び英語という３種類の言語が、使用言語として選択可能な選択対象言語として登録されている。また、初期設定データ４５には、初期設定言語として日英併記が登録されている。
【００３５】
選択対象決定部１４は、候補言語の中から選択対象言語を決定する対象項目決定処理を実行し、要素設定変更部１３は、選択対象言語の中の1つを使用言語として設定する要素設定変更処理を実行する。要素設定変更部１３は、現時点の使用言語（現状設定言語）を示すデータを現状設定データ４６に含める。選択対象言語として登録された言語には、選択対象言語テーブル４２ａによりリストＮｏ．が付与される。選択対象言語テーブル４２ａのデータは、選択対象言語データ４２に含めて保持される。
【００３６】
次に、図５は、候補作動条件データ４３、選択対象作動条件データ４４、初期設定データ４５、及び現状設定データ４６の設定例を示した説明図である。図５の例では、候補作動条件データ４３に、設定温度、運転モード切換、風速、風向、タイマー、省エネＯＮ／ＯＦＦ、エコナビ（登録商標）ＯＮ／ＯＦＦ、ナノイー（登録商標）ＯＮ／ＯＦＦ、フィルターサインＯＮ／ＯＦＦ、操作音、バックライト、及びコントラストという１２の項目が、候補作動条件として登録されている。
【００３７】
そして、選択対象作動条件データ４４には、これらの１２項目の作動条件の中から、設定温度、運転モード切換、風速、風向、及びタイマーという５つの項目が、変更対象とする作動条件（変更対象作動条件）として選択可能な選択対象作動条件として登録されている。また、初期設定データ４５には、各候補作動条件に関する初期データ（デフォルト値）が登録されている。
【００３８】
選択対象決定部１４は、候補作動条件の中から選択対象作動条件を決定する対象項目決定処理を実行し、要素設定変更部１３は、選択対象作動条件の中の1つを変更対象作動条件として設定する要素設定変更処理を実行する。要素設定変更部１３は、各選択対象作動条件に関する現状の設置状況を示すデータを、現状設定データ４６に含める。選択対象作動条件として登録された作動条件には、選択対象作動条件テーブル４４ａによりリストＮｏ．が付与される。選択対象作動条件テーブル４４ａのデータは、選択対象作動条件データ４４に含めて保持される。
【００３９】
［３．言語リストの構成処理］
図６に示したフローチャートに従って、選択対象言語テーブル４２ａ（図４参照）により表される言語リストの構成処理について説明する。言語リストの構成処理は、選択対象決定部１４により実行される。
【００４０】
選択対象決定部１４は、図６のステップＳ１でリスト番号Ｌｎをゼロにして、ステップＳ２に処理を進める。ステップＳ２において、選択対象決定部１４は、選択対象言語データ４２を参照して、日本語が選択対象言語に登録されているか否かを判断する。そして、選択対象決定部１４は、日本語が選択対象言語に登録されているときはステップＳ２０に処理を進め、現在のリスト番号（ここでは、「０」）に日本語を割り当てる。続くステップＳ２１で、選択対象決定部１４は、リスト番号をインクリメント（＋１）し、ステップＳ３に処理を進める。一方、日本語が選択対象言語に登録されていないときには、選択対象決定部１４は、ステップＳ２からステップＳ３に処理を進める。
【００４１】
ステップＳ３で、選択対象決定部１４は、選択対象言語データ４２を参照して、日英併記が選択対象言語に登録されているか否かを判断する。そして、選択対象決定部１４は、日英併記が選択対象言語に登録されているときはステップＳ２２に処理を進め、現在のリスト番号（ここでは、「１」）に日英併記を割り当てる。続くステップＳ２２で、選択対象決定部１４は、リスト番号をインクリメントし、ステップＳ４に処理を進める。一方、日英併記が選択対象言語に登録されていないときには、選択対象決定部１４は、ステップＳ３からステップＳ４に処理を進める。
【００４２】
同様にして、選択対象決定部１４は、中国語、英語、フランス語、ドイツ語、イタリア語、スペイン語、ポーランド語、及びロシア語についても、選択対象言語に登録されているか否かを判断し、登録されている場合にはリスト番号に順次割り当てる。
【００４３】
図６のフローチャートによる処理によって、図４に例示した選択対象言語テーブル４２ａが生成される。図４の例では、選択対象言語データ４２に、日英併記、英語、及び中国語が登録されているため、選択対象言語テーブル４２ａにおいては、リスト番号０〜２に、日英併記、英語、及び中国語がそれぞれ割り当てられている。
【００４４】
［４．言語切替処理］
図７に示したフロチャートに従って、要素設定変更部１３により実行される言語切替処理（本発明の要素設定変更処理に相当する）について説明する。要素設定変更部１３は、図７のステップＳ３０で、現状設定データ４６及び選択対象言語テーブル４２ａを参照して、表示部の使用言語として設定されている言語に割り当てられてられたリスト番号である、現状リスト番号Ｌｎ＿Ａを取得する。
【００４５】
続くステップＳ３１で、要素設定変更部１３は、表示部３０が待受画面状態（操作受付部１１により、各キー５１〜５５の操作状況が受け付けられる状態）であるか否かを判断する。そして、要素設定変更部１３は、表示部３０が待受画面状態であるときはステップＳ３２に処理を進め、表示部３０が待受画面状態でないときにはステップＳ４０に処理を進める。
【００４６】
続くステップＳ３２で、要素設定変更部１３は、言語切替キー５４が４秒（本発明の所定時間に相当する）以上継続して押されたか否かを判断する。そして、要素設定変更部１３は、言語切替キー５４が４秒以上継続して押されたときは、ステップＳ５０の「選択対象言語決定処理」（詳細は後述する）に処理を進め、言語切替キー５４が４秒以上継続して押されなかったときにはステップＳ３３に処理を進める。
【００４７】
ステップＳ３３で、要素設定変更部１３は、言語切替キー５４が短時間（４秒未満）押されたか否かを判断する。そして、要素設定変更部１３は、言語切替キー５４が短時間押されたときはステップＳ３４に処理を進め、言語切替キー５４が短時間押されなかったときにはステップＳ３１に処理を進める。
【００４８】
ステップＳ３４で、要素設定変更部１３は、現状リスト番号Ｌｎ＿Ａがリスト番号の最大値Ｌｎ＿ｍａｘであるか否かを判断する。ここで、リスト番号の最大値Ｌｎ＿ｍａｘは、選択対象言語テーブル４２ａに登録されているリストＮｏ．の最大値である。選択対象言語テーブル４２ａにｎ個の選択対象言語が登録されている場合、Ｌｎ＿ｍａｘはｎ−１となる。
【００４９】
そして、要素設定変更部１３は、現状リスト番号Ｌｎ＿ＡがＬｎ＿ｍａｘであるときは、ステップＳ３５に処理を進めて現状リスト番号Ｌｎ＿Ａを「０」にし、ステップＳ３６に処理を進める。一方、現状リスト番号Ｌｎ＿ＡがＬｎ＿ｍａｘでないときには、要素設定変更部１３は、ステップＳ５１に処理を進めて現状リスト番号Ｌｎ＿Ａをインクリメント（＋１）し、ステップＳ３６に処理を進める。図４の例では、Ｌｎ＿ｍａｘは２である。以下では、図４の選択対象言語テーブル４２ａが設定されている場合について説明する。
【００５０】
ステップＳ３６で、要素設定変更部１３は、現状リスト番号Ｌｎ＿Ａが「０」であるか否かを判断する。そして、要素設定変更部１３は、現状リスト番号Ｌｎ＿Ａが「０」であるときは、ステップＳ５２に処理を進めて表示言語を「日英併記」（リスト番号０が割り当てられた言語）に設定して、処理をステップＳ３９に進める。
【００５１】
一方、現状リスト番号Ｌｎ＿Ａが「０」でないときには、要素設定変更部１３は、ステップＳ３７に処理を進めて、現状リスト番号Ｌｎ＿Ａが「１」であるか否かを判断する。そして、要素設定変更部１３は、現状リスト番号Ｌｎ＿Ａが「１」であるときは、ステップＳ５３に処理を進めて表示言語を「英語」に設定し、ステップＳ３９に処理を進める。
【００５２】
また、現状リスト番号Ｌｎ＿Ａが「１」でないとき（この場合は、Ｌｎ＿Ａは「２」になる）には、要素設定変更部１３は、ステップＳ３８に処理を進めて表示言語を「中国語」に設定し、ステップＳ３８に処理を進める。そして、ステップＳ３９で、要素設定変更部１３は、設定した表示言語により、表示部３０の画面表示を行う。
【００５３】
図７のフローチャートによる「言語切替処理」の実行により、図８に示したように、使用者Ｐが言語切替キー５４を短時間押す毎に、表示部３０における表示言語が、日英併記画面７０→英語画面７１→中国語画面７２→日英併記画面７０→…と順次切り替わる。そのため、使用者Ｐは、言語切替キー５４を押すのみという極めて簡易な操作により、表示部３０の表示言語を容易に変更することができる。また、要素設定変更部１３は、表示画面を切替えた時に、表示画面の左上７５に切り替えた言語名を表示する。
【００５４】
［５．選択対象言語決定処理］
次に、図９に示したフローチャートに従って、選択対象決定部１４により実行される選択対象言語決定処理（本発明の選択対象決定処理に相当する）について説明する。選択対象決定部１４は、図９のステップＳ６０で、表示部３０の画面を、選択対象言語決定画面にする。ここで、図１０に示したように、選択対象言語決定画面８０には候補言語の一覧８０ａが表示される。
【００５５】
続くステップＳ６１で、選択対象決定部１４は、使用者による上矢印キー５２又は下矢印キー５５の押し操作に応じて、候補言語の中のいずれか１つを選択する。また、候補画像の一覧８０ａの上端又は下端の候補画像が選択された状態で、上矢印キー５２又は下矢印キー５５が押し操作されたときには、選択対象決定部１４は、一覧８０ａを上下方向にスクロールさせて、表示する候補言語を変更する。図１０では、日本語が選択されている状態を示しており、選択されていることを示す外枠８０ｂ、及び選択対象言語への登録と登録解除を指定するための登録ボタン８０ｃが表示されている。
【００５６】
選択対象決定部１４は、使用者による左矢印キー５１の押し操作に応じて、選択されている候補言語を選択対象言語に登録し、また、右矢印キー５３の押し操作に応じて、選択されている候補言語の選択対象言語への登録を解除する。図１０では、選択対象言語に登録された状態をチェック記号で示し、選択対象言語に登録されていない状態を「−」で示している。
【００５７】
続くステップＳ６１で、選択対象決定部１４は、使用者いよる登録又は登録解除の操作に応じて、候補言語の中から選択対象言語を決定する。そして次のステップＳ６２で、選択対象決定部１４は、決定した選択対象言語について、選択対象言語テーブル４２ａによる言語リストを再構成する。
【００５８】
［６．選択対象作動条件決定処理］
次に、図１１を参照して、選択対象決定部１４により実行される選択対象作動条件決定処理（本発明の選択対象決定処理に相当する）について説明する。選択対象決定部１４は、表示部３０が待受画面を表示した状態であるときに、使用者により言語切替キー５４、下矢印キー５５、及び右矢印キー５３が同時に所定時間（例えば４秒）以上継続して押された場合に、表示部３０にメンテナンス機能画面９０を表示する。
【００５９】
選択対象決定部１４は、メンテナンス機能画面９０に、空調装置１００及びリモコン装置１に関する各種のメンテナンス項目（本発明の候補作動条件に相当する）の一覧９０ａを表示する。そして、選択対象決定部１４は、使用者Ｐによる上矢印キー５２又は下矢印キー５５の押し操作に応じて、いずれか１つのメンテナンス候補を選択する。
【００６０】
また、メンテナンス項目の一覧９０ａの上端又は下端の候補画像が選択された状態で、上矢印キー５２又は下矢印キー５５が押し操作されたときには、選択対象決定部１４は、一覧９０ａを上下方向にスクロールさせて、表示するメンテナンス項目を変更する。選択対象決定部１４は、選択されているメンテナンス項目に外枠９０ｂを表示する。図１１では、「８．初期設定」が選択されている状態を示している。
【００６１】
選択対象決定部１４は、「８．初期設定」が選択された状態で、操作受付部１１により運転キー５６の操作（選択確定操作）が受付けられたときに、表示部３０を初期設定画面３０に切り替える。また、操作受付部１１により言語切替キー５４の操作（画面の閉操作）が受け付けられたときに、選択対象決定部１４は、表示部３０を待受画面に戻す。
【００６２】
選択対象決定部１４は、初期設定画面３０に、リモコン装置１により設定可能な要素の一覧９１を表示する。そして、選択対象決定部１４は、使用者Ｐによる上矢印キー５２又は下矢印キー５５の押し操作に応じて、表示する要素を上下方向にスクロールさせて、選択されている要素を切り替える。選択対象決定部１４は、選択されている要素に外枠９１ｂを表示する。図１１では、「２．操作項目」が選択されている状態を示している。
【００６３】
選択対象決定部１４は、「２．操作項目」が選択された状態で、運転キー５６の操作（選択確定操作）が受付けられたときに、表示部３０を操作項目画面９２に切り替える。また、操作受付部１１により言語切替キー５４の操作（戻り操作）が受け付けられたときに、選択対象決定部１４は、表示部３０を初期設定画面９１に戻す。
【００６４】
選択対象決定部１４は、操作項目画面９２に、リモコン装置１において設定操作が可能な作動条件（候補作動条件）の一覧９２ａを表示する。そして、選択対象決定部１４は、操作受付部１１により上矢印キー５２又は下矢印キー５５の操作が受け付けられたときに、選択される項目を上下方向に切替え、また、選択される項目が上端又は下端に達したときには、表示する項目をスクロールさせて切り替える。
【００６５】
選択対象決定部１４は、選択されている候補作動条件の設定ボックス９２ｃの両側に矢印を表示する。そして、操作受付部１１により左矢印キー５１の操作が受け付けられたときに、選択対象決定部１４は、選択されている候補作動条件を選択対象作動条件として登録する（図５参照）。また、操作受付部１１により右矢印キー５３の操作が受け付けられたときに、選択対象決定部１４は、選択されている候補作動条件を選択対象作動条件から除外（登録解除）する。
【００６６】
以上説明した選択対象決定部１４による処理によって、使用者は、複数の候補作動条件（図５では１０項目の候補作動条件を例示）の中から、リモコン装置１により選択して設定状態を変更することができる選択対象作動条件（図５では５項目の選択対象運転条件を例示）を決定することができる。
【００６７】
［７．要素設定のリセット］
次に、設定リセット部１５により実行される要素設定のリセットに関する処理について説明する。設定リセット部１５は、表示部３０の表示が待受画面であるときに、左矢印キー５１と右矢印キー５３が同時に所定時間（例えば４秒）以上操作された場合に、現時点で設定されている使用言語及び各作動条件の設定状況を初期設定データ４５に書き込んで、初期設定データ４５を更新する（初期設定変更処理）。なお、リモコン装置１の工場出荷時には、初期設定データ４５には予め設定された使用言語及び候補作動条件の設定を示すデータが書き込まれている。
【００６８】
また、設定リセット部１５は、表示部３０の表示が待ち受け画面であるときに、言語切替キー５４と運転キー５６が同時に所定時間（例えば４秒）以上操作された場合に、初期設定データ４５に登録された言語を使用言語に設定すると共に、初期設定データ４５に登録された各候補作動条件の設定を、現状の各候補条件の設定にする（要素設定リセット処理）。
【００６９】
このように、操作部５０の操作によって、使用言語及び各作動条件の設定をリセットして、初期設定データ４５に登録された状態に戻すことができる。そのため、例えば、空調装置１００及びリモコン装置１が宿泊施設に設置され、宿泊者が任意に使用言語や作動条件（設定温度、空調モード等）を変更した場合に、宿泊施設のハウスキーパー等は、リモコン装置１を操作して、使用言語及び作動条件を初期設定データ４５に登録された設定に容易に戻すことができる。
【００７０】
［８．外部装置からの操作］
要素設定変更部１３は、通信部２２を介して集中制御機器１１０又は管理サーバー１２２から、言語切替処理の実行を指示するデータを受信した場合も言語切替処理を実行する。この構成によれば、例えば、空調装置１００及びリモコン装置１が宿泊施設に設置されている場合であって、宿泊者の使用言語が既知であるときに、宿泊施設のフロントに備えられた集中制御機器１１０或いは宿泊予約サイトの管理サーバー１２２等からの遠隔操作によって、リモコン装置１における使用言語を宿泊者の使用言語に設定することができる。
【００７１】
また、選択対象決定部１４は、通信部２２を介して集中制御機器１１０又は管理サーバー１２２から、選択対象言語の決定を指示するデータを受信したときにも選択対象言語決定処理を実行する。この構成によれば、例えば、空調装置１００及びリモコン装置１が宿泊施設に設定されている場合であって、宿泊者の国籍がある程度想定できる場合に、宿泊施設のフロントに備えられた集中制御機器１１０或いは宿泊予約サイトの管理サーバー１２２等からの遠隔操作によって、リモコン装置１における使用言語を選択範囲を限定し、これにより言語の選択操作を容易にすることができる。
【００７２】
また、選択対象決定部１４は、通信部２２を介して集中制御機器１１０又は管理サーバー１２２から、選択対象作動条件の決定を指示するデータを受信したときにも選択対象決定処理を実行する。この構成によれば、例えば、空調装置１００及びリモコン装置１が宿泊施設に設定されている場合に、宿泊者に設定変更を許可する作動条件の項目を制限することができる。これにより、例えば、リモコン装置１の使用に不慣れな宿泊者によって、作動条件が不適切に設定されることを回避することができる。
【００７３】
また、設定リセット部１５は、通信部２２を介して集中制御機器１１０又は管理サーバー１２２から、初期設定の変更を指示するデータを受信したときにも、初期設定変更処理を実行する。なお、この場合、現状の使用言語ではなく、受信したデータにより指示された言語を初期設定データ４５に登録するようにしてもよい。
【００７４】
また、設定リセット部１５は、通信部２２を介して集中制御機器１１０又は管理サーバー１２２から、要素設定のリセットを指示するデータを受信したときにも、要素設定リセット処理を実行する。この構成によれば、例えば、空調装置１００及びリモコン装置１が宿泊施設の各部屋に設置されている場合に、集中制御機器１１０又は管理サーバー１２２から各部屋のリモコン装置１に対して、要素設定のリセットを指示するデータを送信することによって、各部屋のリモコン装置１の各要素（使用言語、作動条件）の設定を初期値に戻すことできる。この場合は、ハウスキーパー等が各部屋を回って、各部屋のリモコン装置１の要素の設定を規定値に戻す作業を不要にすることができる。
【００７５】
［９．その他］
上記実施形態では、リモコン装置１が通信部２２を備えて、集中制御機器１１０及び管理サーバー１２２との間で通信を行ったが、集中制御機器１１０と管理サーバー１２２とのうちのいずれか一方のみと通信を行う構成としてもよい。また、通信部２２及び外部要求受付部１２を備えず、操作受付部１１により操作部５０の操作のみを受け付ける構成としてもよい。
【００７６】
また、上記実施形態では、本発明の被制御装置又はリモコン装置に関する所定要素として、表示部における使用言語及び被制御装置又はリモコン装置の作動条件を示したが、使用言語及び作動条件のいずれか一方のみを所定要素として扱ってもよく、他の変更対象を所定要素としてもよい。
【００７７】
また、上記実施形態では、空調装置１００を被制御装置とするリモコン装置１を示したが、本発明のリモコン装置はこれに限られず、給湯装置や照明装置等の他の種類の装置を被制御装置とするリモコン装置についても、本発明の適用が可能である。
【００７８】
また、上記実施形態では、リモコン装置１に設定リセット部１５を備えて、初期設定変更処理及び要素設定リセット処理を行ったが、設定リセット部１５を備えない場合にも、本発明の効果を得ることができる。
【産業上の利用可能性】
【００７９】
以上のように、本発明に係るリモコン装置は、使用者の特性や好みに合わせて所定要素の選択範囲を変更することが可能となるので、空調装置、給湯装置等の種々の被制御装置を遠隔操作する用途に適用できる。
【符号の説明】
【００８０】
１  リモコン装置
２  回路基板
１１  操作受付部
１２  外部要求受付部
１３  要素設定変更部
１４  選択対象決定部
１５  設定リセット部
２１  スピーカー
２２  通信部
３０  表示部
４０  記憶部
４１  候補言語データ
４２  選択対象言語データ
４３  候補作動条件データ
４４  選択対象作動条件データ
４５  初期設定データ
４６  現状設定データ
５０  操作部
５１  左矢印キー
５２  上矢印キー
５３  右矢印キー
５４  言語切替キー（言語切替スイッチ）
５５  下矢印キー
５６  運転キー
１００  空調装置
１１０  集中制御機器
１２２  管理サーバー
【図１】
2019009535.tif 000003
【図２】
2019009535.tif 000004
【図３】
2019009535.tif 000005
【図４】
2019009535.tif 000006
【図５】
2019009535.tif 000007
【図６】
2019009535.tif 000008
【図７】
2019009535.tif 000009
【図８】
2019009535.tif 000010
【図９】
2019009535.tif 000011
【図１０】
2019009535.tif 000012
【図１１】
2019009535.tif 000013